(57)【要約】    【課題】  正極と負極の印刷や刻印による表示であっては、認識が困難であり、又、使用者がその区別を理解（「＋、−」表記の意味合い）しなければ効果を果たさないものとなってしまっていた。  又、後者である電池の正極を挿入するものにあっては、電池の正極形状のばらつきを許容できないばかりか、ボタン電池の様に小さい電池にあっては、当該手段を適用することが困難であった。    【構成】  複数の電池を直列に配置する電池ホルダーであって、該電池ホルダーに前記電池が１個ごと挿着される電池室を設けると共に、該電池室の正極側と負極側の形状を非対称な形状とした電池ホルダー。【選択図】  図１
2005190856.tif 000002
【特許請求の範囲】
【請求項１】
複数の電池を直列に配置する電池ホルダーであって、該電池ホルダーに前記電池が１個ごと挿着される電池室を設けると共に、該電池室の正極側と負極側の形状を非対称な形状としたことを特徴とする電池ホルダー。
【請求項２】
前記各々の電池室を金属端子で接続すると共に、各金属端子間に整流回路を介在させたことを特徴とする請求項１記載の電池ホルダー。
【請求項３】
前記各々の電池室の負極側に凹部を形成すると共に、その凹部に前記金属端子を配置し、その金属端子を前記凹部の深さよりも低くしたことを特徴とする請求項２に記載の電池ホルダー。
【請求項４】
前記金属端子に弾性を付与したことを特徴とする請求項２、或いは、請求項３に記載の電池ホルダー。
【発明の詳細な説明】
【技術分野】
【０００１】
本発明は、複数の電池を直列に配置する電池ホルダーに関するものであり、特に、電池の逆装填が防止される電池ホルダーに関する。
【背景技術】
【０００２】
従来から、電池を直列に配置する電池ケースが知られている。その電池の逆装填防止手段としては、正極と負極を印刷したものや、刻印などによって表示するものがある。
又、電池の負極に、他の電池の正極の凸部あるいは電池ケースの負極用端子を挿入できる径の小穴を形成し、電池ケースに極性を誤って電池を装填した場合には、電池の負極が他の電池の負極あるいは電池ケースの正極用端子に接触せず電気が流れないようにした電池もある。
【特許文献１】特開２００３−１００２７１号。
【発明の開示】
【発明が解決しようとする課題】
【０００３】
しかしながら、正極と負極の印刷や刻印による表示であっては、認識が困難であり、又、使用者がその区別を理解（「＋、−」表記の意味合い）しなければ効果を果たさないものとなってしまっていた。
又、後者である電池の正極を挿入するものにあっては、電池の正極形状のばらつきを許容できないばかりか、ボタン電池の様に小さい電池にあっては、当該手段を適用することが困難であった。
【課題を解決するための手段】
【０００４】
本発明は、複数の電池を直列に配置する電池ホルダーであって、該電池ホルダーに前記電池が１個ごと挿着される電池室を設けると共に、該電池室の正極側と負極側の形状を非対称な形状としたことを要旨とする。
【発明の効果】
【０００５】
本発明は、複数の電池を直列に配置する電池ホルダーであって、該電池ホルダーに前記電池が１個ごと挿着される電池室を設けると共に、該電池室の正極側と負極側の形状を非対称な形状としたので、電池の逆装填が防止され、その結果、逆装填による充電や異常反応に起因する、電池の変形や漏液、発熱、破裂などが防止される。
【発明を実施するための最良の形態】
【０００６】
以下、実施例の詳細を、添付図面を参照して説明する。図１は本実施例を用いた筆記具の斜視図であり、図２は図１のＡ部拡大図である。
本実施例による電池ホルダーは、図２に示す要素からなる。本例の電池は、平たい電池であって、一般的には、ボタン電池と称されている。樹脂成形品からなる半円弧状をなしたホルダー本体１には、１個ごと電池を挿着する電池室２が直線状に３室形成されているが、その電池室２は壁部３を形成することによって構成されている。その電池室２は、使用する電池４のほぼ外形形状をなしている。具体的に説明すると、電池室２の前方角部には円弧部５が形成されているが、後方部は直角な角部６となっている。これら円弧部５は、使用する電池４の負極側の形状をなしており、一方、直角な角部６は使用する電池４の正極側の形状をなしている。即ち、電池室２は、正極側と負極側の形状を異にし、非対称な形状としているのである。
又、前記円弧部５が形成されている壁部３には凹部７が形成されており、その凹部７には弾性を有する金属端子８が壁部３を跨ぐように挿着されているが、その厚さは凹部７の深さを超えないものとなっている。つまり、仮に電池４が電池室２に逆装填されたとしても、電池４の正極側が金属端子８に接触しないようにしているのである。本例においては、その金属端子８を板状物としたが、線材を弦巻状に形成し凹部７に挿着しても良い。ここで、前記金属端子８は、それぞれが同じ形状をなしている。金属端子８の種類を１種類とすることによって部品の価格を抑えると共に、組み立ての容易性、並びに、組み立てコストの削減を狙ったものである。又、金属端子８は電池４の正極側にバネ性を有しており、その正極側に向けて「く」の字型に形成されている。電池４の全長や外径には規格による制限があるものの、ばらつきを考慮してのことである。更に、電池４の正極側に押圧力を付与することによって、電池４の逆装填をより確実に防止することができるものとなっている。つまり、電池４を電池室２に逆装填しようとすると、電池４の負極側が金属端子８によって付勢され、その為、電池４の角部が電池室２の円弧部５に当接し、電池室２への挿着が不可能となるのである。
【０００７】
前記ホルダー本体１の一端面には、鍔部９が形成されている。ホルダー本体１を後述するケースに装着するが、その際におけるホルダー本体１の挿着方向を認識できるようにすると共に、鍔部９の方向からはその鍔部９がケースの端部に当接し、挿着することができないようにしているのである。加えて、前記鍔部９は、ケースからホルダー本体１を引き抜く際の摘み部ともなっている。
参照符号１０はホルダー本体１の底部に設けられた貫通孔であって、各電池室２に設けられており、その電池室２から電池４を抜き取る場合の補助手段である。即ち、電池４が指などで容易に抜き取れない場合には、貫通孔１０に細い棒などを差し込み、ホルダー本体１の下側から上方に向けて押し出すのである。
又、前記隣り合う金属端子８間には、電流を一方向からのみ流す整流回路１１が設置されている。これは、電池を正しく装填した場合でも、直列に接続された一方の電池が他方の電池により強制的に放電され、その結果、電池の電圧がマイナスになる（一般的には、転極と称される）現象を防止するための回路である。尚、整流回路に用いられる代表例としては、ダイオードなどがある。
【０００８】
前記ホルダー本体１は、内部にボールペン体やシャープペンシルユニットなどの筆記体が配置された筆記具１２の後部に装着される。その筆記具１２には、発光ダイオードや振動モータなどが配置されており、筆記状態を感知し、その筆記状態に合わせて作動するようになっている。前記電池４は、それら発光ダイオードや振動モータを作動させる為の電源である。以下、筆記具１２への装着構造について説明する。筆記具１２の後部にはケース部１３が延設形成されており、そのケース部１３に前記ホルダー本体１が挿着される。ケース部１２からの脱落防止は、ケース部１３の後端部に着脱自在に螺合したキャップ１４によってなされているが、これに限定されることはない。例えば、ホルダー本体１に嵌合部を形成し、その嵌合部をケース部１３の内面に形成した嵌合受部に着脱自在に係合させても良い。着脱自在となしたのは、電池４の交換を想定してのことである。前記キャップ１４の内面には、ホルダー本体１を装着方向に向けて付勢するコイルスプリングなどの弾撥部材１５が介在している。
前記ケース部１３の後端部には、切り欠き部１６が形成されている。ホルダー本体１をケース部１３から抜き出す際、指の爪などを差し込む為の切り欠き部であり、該切り欠き部１６に爪などを差し込むことによって、その爪をホルダー本体１の鍔部９に引っ掛けることができ、容易にホルダー本体１をケース部１３から引き出すことができる。
尚、ケース部１３の内面には、ホルダー本体１の肉厚と同等の肉厚部１７が半円弧状に形成されている。ケース部１３内におけるホルダー本体１の安定性、並びに、ホルダー本体１からの電池４の脱落を防止している。その肉厚部１７は、ホルダー本体１をケース部１３に装着する際の案内部ともなっている。即ち、案内部を設けることによって、ホルダー本体１に挿着されている金属端子８と筆記体１２側に設けられている電源端子が正確に当接・接触し、常に安定した電源の供給が得られることになる。
【図面の簡単な説明】
【０００９】
【図１】実施例を示す斜視図。
【図２】図１の拡大図。
【図３】図２の底面図。。
【図４】ホルダー本体の上面図。
【図５】回路図。
【図６】図４の縦断面図。
【符号の説明】
【００１０】
１      ホルダー本体
２      電池室
３      壁部
４      電池
５      円弧部
６      角部
７      凹部
８      金属端子
９      鍔部
１０    貫通孔
１１    整流回路
１２    筆記具
１３    ケース部
１４    キャップ
１５    弾撥部材
１６    切り欠き部
１７    肉厚部
【図１】
2005190856.tif 000003
【図２】
2005190856.tif 000004
【図３】
2005190856.tif 000005
【図４】
2005190856.tif 000006
【図５】
2005190856.tif 000007
【図６】
2005190856.tif 000008